(57)【要約】【課題】浴室や洗面所などで使用するシャワー付き水栓の切替ハンドルにおいて、回動操作が滑らかで止水時や吐水操作時に節度ある操作感及び操作音が得られ、繰り返し操作してもその操作感及び操作音が損なわれず、耐久性を備えた構成としたことを特徴とする水栓のハンドルを提供することを目的とする。【解決手段】水栓本体またはシャワーからの吐水及び止水操作を行う切替ハンドルを水栓本体に設け、水栓本体または切替ハンドルの何れか一方に弾性部、他方に係合部を備え、切替ハンドルの操作時に操作感を有するシャワー付き水栓において、水栓本体側に弾性部を設け、切替ハンドル側に止水時に弾性部と係合する凹状の止水用係合部を設け、その止水用係合部の両端に凹部を設け、凹部は、止水用係合部の遠方側を緩やかな角度で形成した第一傾斜を、近傍側に第一傾斜より角度の急な第二傾斜を形成する。【選択図】  図３
2004257201.tif 000002
【特許請求の範囲】
【請求項１】
水栓本体またはシャワーからの吐水及び止水操作を行う切替ハンドルを水栓本体に設け、水栓本体または切替ハンドルの何れか一方に弾性部、他方に係合部を備え、切替ハンドルの操作時に操作感を有するシャワー付き水栓において、水栓本体側に弾性部を設け、切替ハンドル側に止水時に弾性部と係合する凹状の止水用係合部を設け、その止水用係合部の両端に凹部を設け、凹部は、止水用係合部の遠方側を緩やかな角度で形成した第一傾斜を、近傍側に第一傾斜より角度の急な第二傾斜を形成したことを特徴とするシャワー付き水栓の切替ハンドル。
【発明の詳細な説明】
【０００１】
【発明の属する技術分野】
本発明は浴室や洗面所などで使用する水栓で、吐水口の開閉あるいは切替操作を行う水栓のハンドルに関する。
【０００２】
【従来の技術】
従来、浴室や洗面所などで用いるシャワーを備えた水栓は、水栓本体内に設けた湯水の混合室にシャワー側流出口と本体側流出口を設け、かつ混合室内に１つの開閉ハンドルの回動操作によりシャワー側、本体側の流出口双方を閉弁するかまたはどちらか一方を開弁する開閉弁を設けている。そして、水栓本体と開閉ハンドルのどちらか一方に係合部を設け、他方に係合部に弾性係合する弾性部を設け、開閉弁がシャワー側、本体側の流出口を閉弁する位置で係合部と弾性部とが係合して、その係合により得られる感触とクリック音が使用者に伝わって切替状態を認識させるものがある。
（例えば特許文献１を参照のこと）
【０００３】
特開平３−２８８０７５公報
【発明が解決しようとする課題】
【０００４】
しかしながら、このような従来の技術では、開閉ハンドルを繰り返し使用すると、水栓本体内に設けた係合部と開閉ハンドルに設けた弾性部とが、摺動により係合部の角部が摩耗することにより緩やかな角度に変化し、弾性部が係合部に収まる際、係合部に瞬時の反発力が得られにくくなり、めりはりの利いた開閉ハンドルの節度ある操作感や操作音が損なわれるおそれがある。
【０００５】
これを防ぐため、係合部を耐摩耗性の高い金属製にすることが考えられる。しかしながら、この場合、開閉ハンドルの操作を行うと金属製の係合部と金属製の弾性部が接触しながら回動するため、摩擦抵抗が大きく、開閉ハンドルの滑らかな操作感が阻害されてしまう。さらに、摩擦により肉厚の薄いばねが摩耗し、最悪の場合、割れて破損してしまうことがある。
また、係合部は凹状で１箇所設けているので、止水時には操作感や操作音が使用者に伝わるが、吐水時には弾性部が水栓本体の内周に押された状態となるため、節度ある操作感や操作音が得られないという問題もあった。
【０００６】
そこで、本発明では上記の問題点を解決するために、浴室や洗面所などで使用するシャワー付き水栓の切替ハンドルにおいて、回動操作が滑らかで、止水時や吐水操作時に節度ある操作感及び操作音が得られ、繰り返し操作してもその操作感及び操作音が損なわれず、耐久性を備えた構成としたことを特徴とする水栓のハンドルを提供するものである。
【０００７】
【課題を解決するための手段】
水栓本体またはシャワーからの吐水及び止水操作を行う切替ハンドルを水栓本体に設け、水栓本体または切替ハンドルの何れか一方に弾性部、他方に係合部を備え、切替ハンドルの操作時に操作感を有するシャワー付き水栓において、水栓本体側に弾性部を設け、切替ハンドル側に止水時に弾性部と係合する凹状の止水用係合部を設け、その止水用係合部の両端に凹部を設け、凹部は、止水用係合部の遠方側を緩やかな角度で形成した第一傾斜を、近傍側に第一傾斜より角度の急な第二傾斜を形成したことを特徴とする。
【０００８】
これによれば、切替ハンドル内周部に凹状の止水用係合部の両端部に連続した凹みを設けているので、切替ハンドルの繰り返し操作によって生じる係合部と弾性部の摩耗によって止水用係合部が削られて緩やかな傾斜面になることもなく、凹部と止水用係合部に段差が生じた状態となる。
そのため、弾性部が凹状の止水用係合部に収まった際、瞬時の反発力が得られ、めりはりの利いた切替ハンドルの節度ある操作感や操作音が長期間に渡り継続できる。
また、吐水口が閉の状態から吐水を開始する際も節度ある操作感及び操作音を得ることが可能となる。
【０００９】
【発明の実施の形態】
以下に図面を参照して本発明をより具体的に説明する。
図１は、本発明の切替ハンドルを備えたシャワー装置を示した図である。図２は、切替ハンドルを示した図である。図３は、弾性部と係合部の係合状態を示した図である。
【００１０】
本発明の切替ハンドル１は、略円筒形状で形成されたハンドル本体２の下部に操作時の摘み部３、正面には、止水や切替状態を示す表示インデックス４が取り付けられ、ハンドル本体２の内周側には、樹脂製のリング５を設けて構成している。
【００１１】
ハンドル本体２の内周の中央部には、ハンドル本体２をシャワー装置本体２０に固定するための固定部６を設け、ハンドル本体２の内周面７で摘み部３側方向には、リング５の位置決めを行うための突起（図示しない）を設けている。
【００１２】
固定部６の中心には、貫通孔６ａを設け、シャワー装置本体２０側となる面には、後述する軸２２が収まるように凹部６ｂを設けている。
【００１３】
リング５の内周には、凹状の止水用係合部９、その両端には連続するように凹部１０が設けられ、止水用係合部９の遠方側には、緩やかな角度で形成した第一傾斜１０ａを、近傍側に第一傾斜より角度の急な第二傾斜１０ｂを形成している。また、リング５には、ハンドル本体２に所定の方向に取り付けるための切り欠き部（図示しない）を設け、ハンドル本体２の突起と切り欠き部の位置が合致するようにして、リング５をハンドル本体２に圧入して取り付けられる。
【００１４】
一方、シャワー装置本体２０には、切替ハンドル１の回動操作により吐水、止水を行うシリンダーバルブ２１が収容されており、このシリンダーバルブ２１には、切替ハンドル１の操作力を伝達するための軸２２が備えられている。さらに、シリンダーバルブ２１が収容されたシャワー装置本体２０上には、円周上に表示インデックス４を固定する突起２３を設けた円筒状の台座２４が取付けられ、袋ナット２５にてシャワー装置本体２０に固定して取り付けられている。
台座２４のシャワー装置本体２０側には、弾性部材としての板バネ２８を挿入する切り欠き部２４ａを、外周面２４ｂに開口部２７を設けている。板バネ２８は、台座２４の切り欠き部２４ａから挿入し、開口部２７から略凸状に形成された板バネ２８の凸部２８ａが突出するように組み付けられている。
【００１５】
上記のように構成した切替ハンドル１とシャワー装置本体２０の固定は、ハンドル本体２に設けた固定部６の凹部６ｂにシリンダーバルブ２１に設けた軸２２を挿入した後、ハンドル本体２の固定部６に設けた貫通孔６ａ、スピンドル３０を介して固定ビス２９で軸２２に固定する。その後、表示インデックス４を所定の方向に向けるため、台座２４に設けた突起２３に嵌合、固定して切替ハンドル１が形成される。
【００１６】
このような構造の切替ハンドル１で吐水を行うとき、使用者は、切替ハンドル２の摘み部３に手を掛けて左右の何れかの方向に回動させる。これによって、リング５に設けた止水用係合部９の内周面が、板バネ２８に当接するとともに、止水用係合部９の内周面によって板バネ２８の凸部２８ａが押しさげられた状態になっている。このとき、板バネ２８の凸部２８ａは止水状態時に比べると台座２４からの突出量は低くなっている。
この状態からさらに回動すると、止水用係合部９と凹部１０の間に生じる山部５ｃが板バネ２８の凸部２８ａ上を通過する。このとき、板バネ２８の凸部２８ａの突出量は最小となる。山部５ｃが通過して、凹状の係合部１０に差し掛かると板バネ２８の弾性力で、凸部２８ａが、台座２８から再び突出して、使用者に節度感を伝えることになる。その後、板バネ２８の凸部２８ａは、再び、リング５の内周面５ｄに押さえつけられた状態でリング５は回動される。
【００１７】
吐水状態から止水状態に回動する場合は、板バネ２８の凸部２８ａは、リング５の内周面５ｄに押さえつけられ状態でリング５が回動され、止水用係合部９と凹部１０の間に生じる山部５ｃに近づくにつれて第一傾斜１０ａにより板バネ２８の凸部２８ａの突出量は上昇する。そして、第一傾斜１０ａから第二傾斜１０ｂに差し掛かり山部５ｃが通過すると凸部２８ａの突出量は低下する。
さらに、止水用係合部９が板バネ２８の凸部２８ａ上にきたとき、凸部２８ａの突出量は、再び上昇するとともに、使用者に節度感を伝えることになる。
【００１８】
【発明の効果】
浴室や洗面所などで使用する水栓の水栓本体またはシャワーからの吐水及び止水操作を行う切替ハンドルを水栓本体に設け、水栓本体または切替ハンドルの何れか一方に弾性部、他方に係合部を備え、切替ハンドルの操作時に操作感を有するシャワー付き水栓において、回動操作が滑らかで止水時や吐水操作時に節度ある操作感及び操作音が得られ、繰り返し操作してもその操作感及び操作音が損なわれず、耐久性を備えた構成としたシャワー付き水栓の切替ハンドルを提供することができる。
【図面の簡単な説明】
【図１】本発明の切替ハンドルを備えたシャワー装置を示した図である。
【図２】切替ハンドルの構成を示した図である。
【図３】弾性部と係合部の係合状態を示した図である。
【符号の説明】
１  切替ハンドル
２  ハンドル本体
３  摘み部
４  表示インデックス
５  リング
６  固定部
７  内周面
９  止水用係合部
１０  凹部
２０  シャワー装置本体
２１  シリンダーバルブ
２２  軸
２３  突起
２４  台座
２５  袋ナット
２７  開口部
２８  板バネ
２９  固定ビス
３０  スピンドル
【図１】
2004257201.tif 000003
【図２】
2004257201.tif 000004
【図３】
2004257201.tif 000005